(57)【特許請求の範囲】
【請求項１】
内側に複数の収納部を有する財布本体と、
前記複数の収納部に含まれ、金銭を収納するための第一収納部と、
前記財布本体に設けられ、前記第一収納部に対して金銭を出し入れするために開閉可能な第一出し入れ口と、
前記複数の収納部に含まれ、携帯電話を収納するための第二収納部と、
前記財布本体に設けられ、前記第二収納部に対して携帯電話を出し入れするために開閉可能な第二出し入れ口と、
を具備し、
前記第一出し入れ口は、前記第二収納部に対して携帯電話を出し入れするために開閉可能であり、
前記第二出し入れ口には、前記第二出し入れ口の開閉を切り換える切り換え手段と、前記第二収納部に収納した携帯電話に前記第二出し入れ口を介してコードが接続される場合に前記コードを保持するコード保持部と、が設けられ、
前記切り換え手段は、前記コード保持部に保持されたコードに干渉することなく前記第二出し入れ口の開閉を切り換え可能である、
ことを特徴とする財布。
【発明の詳細な説明】
【技術分野】
【０００１】
本発明は、携帯電話を収納するための収納部を具備する財布の技術に関する。
【背景技術】
【０００２】
従来、携帯電話を収納するための収納部を具備する財布の技術は公知となっている。例えば、特許文献１に記載の如くである。
【０００３】
特許文献１に記載の財布は、携帯電話を収納するための環状の保持環（収納部）を具備する。
【０００４】
このような構成の財布において、保持環の内側に携帯電話が挿入されることにより、当該携帯電話が保持環に保持（収納）される。このように、特許文献１に記載の財布は、携帯電話を保持環（収納部）に収納することができる。
【０００５】
しかしながら、特許文献１に記載の財布において、保持環は財布本体の表面に取り付けられる。すなわち、携帯電話は、保持環に収納された場合に、財布本体の表面にむき出しの状態となる。したがって、携帯電話を保持環に収納した財布をカバン等に入れていた場合には、携帯電話に傷や汚れが付着することがあり不都合である。
【０００６】
これに対して、例えば保持環を携帯電話の全部を覆うことができるような収納部に変更し、当該収納部に携帯電話を収納することによって当該携帯電話に傷や汚れが付着することを抑制することが想定される。
【０００７】
しかしながら、保持環を携帯電話の全部を覆うことができるような収納部に変更した場合には、以下に示すようなことがあり不都合である。
【０００８】
すなわち、例えば財布本体を開けて金銭を出し入れしているときに携帯電話の着信があった場合、財布本体を開けたまま（金銭を出し入れ可能な状態のまま）当該収納部を開けて携帯電話を取り出そうとすると、当該収納部を開けた弾みで財布本体から金銭が飛び出すことがあり不都合である。一方、財布本体を閉じて金銭を出し入れ不能な状態とした後に当該収納部を開けて携帯電話を取り出そうとすると、着信が終了して応答できないことがあり不都合である。
【先行技術文献】
【特許文献】
【０００９】
【特許文献１】特願２００１−２１７８０５号公報
【発明の概要】
【発明が解決しようとする課題】
【００１０】
本発明は以上の如き状況に鑑みてなされたものであり、その解決しようとする問題は、携帯電話を収納するための収納部を具備し、例えば出し入れ口を開けて金銭を出し入れしているときに携帯電話の着信があった場合であっても、携帯電話を取り出そうとする弾みで金銭が飛び出さず、且つ着信が終了して応答できないことを防止することができる財布を提供することである。
【課題を解決するための手段】
【００１１】
本発明の解決しようとする課題は以上の如くであり、次にこの課題を解決するための手段を説明する。
【００１２】
即ち、請求項１においては、内側に複数の収納部を有する財布本体と、前記複数の収納部に含まれ、金銭を収納するための第一収納部と、前記財布本体に設けられ、前記第一収納部に対して金銭を出し入れするために開閉可能な第一出し入れ口と、前記複数の収納部に含まれ、携帯電話を収納するための第二収納部と、前記財布本体に設けられ、前記第二収納部に対して携帯電話を出し入れするために開閉可能な第二出し入れ口と、を具備し、前記第一出し入れ口は、前記第二収納部に対して携帯電話を出し入れするために開閉可能であり、前記第二出し入れ口には、前記第二出し入れ口の開閉を切り換える切り換え手段と、前記第二収納部に収納した携帯電話に前記第二出し入れ口を介してコードが接続される場合に前記コードを保持するコード保持部と、が設けられ、前記切り換え手段は、前記コード保持部に保持されたコードに干渉することなく前記第二出し入れ口の開閉を切り換え可能であるものである。
【発明の効果】
【００１５】
本発明の効果として、以下に示すような効果を奏する。
【００１６】
請求項１においては、携帯電話を収納するための収納部（第二収納部）を具備し、例えば出し入れ口（第一出し入れ口）を開けて金銭を出し入れしているときに携帯電話の着信があった場合であっても、携帯電話を取り出そうとする弾みで金銭が飛び出さず、且つ着信が終了して応答できないことを防止することができる。また、携帯電話を収納部（第二収納部）に収納した状態で、当該携帯電話にコードを接続して使用することができる。
【図面の簡単な説明】
【００１９】
【図１】本発明の第一実施形態に係る財布の全体的な構成を示した斜視図。
【図２】（ａ）同じく、正面図。（ｂ）同じく、平面図。（ｃ）同じく、側面図。
【図３】（ａ）同じく、第一出し入れ口が開いた状態の構成を示した平面図。（ｂ）同じく、斜視図。
【図４】（ａ）同じく、第一出し入れ口及び第二出し入れ口が開いた状態の構成を示した平面図。（ｂ）同じく、斜視図。
【図５】（ａ）携帯電話を第二出し入れ口から入れる場合における財布の使用態様を示した図。（ｂ）同じく、図５（ａ）の続きを示した図。（ｃ）携帯電話を第一出し入れ口から出す場合における財布の使用態様を示した図。（ｂ）同じく、図５（ｃ）の続きを示した図。
【図６】（ａ）財布本体の前側面及び前側仕切り部の相互の高さ位置の関係を示した模式図。（ｂ）本発明の第二実施形態に係る財布の全体的な構成を示した斜視図。
【発明を実施するための形態】
【００２０】
以下では、図中に示した矢印に従って、上下方向、左右方向及び前後方向を規定して説明を行う。
【００２１】
まず、図面を用いて、本発明の実施の第一実施形態に係る財布１００の構成について説明する。
なお、各図面においては、説明の便宜上、必要に応じて図示を適宜簡略化するものとする。
【００２２】
図１から図３に示す財布１００は、その所持者が金銭や携帯電話を収納して携帯するものである。財布１００は、主として、財布本体１０と、収納部２０と、第一出し入れ口３０と、第二出し入れ口４０と、を具備する。
【００２３】
図１から図３に示す財布本体１０は、財布１００の外郭を成す部材である。財布本体１０は、正面視で左右方向に細長い略箱状に形成され、その内側に収納部２０が形成される。財布本体１０は、１枚の布材が略Ｖ字状に折り曲げられることにより形成される。すなわち、前記１枚の布材のうち前側半分が財布本体１０の前側面１１となり、また後側半分が財布本体１０の後側面１２となる。財布本体１０の前側面１１及び後側面１２は、前後方向に離間すると共に互いに対向して配置される。また、財布本体１０の前側面１１及び後側面１２の間には、開閉可能に構成される第一ファスナー１３が介在される。第一ファスナー１３は、財布本体１０の前側面１１及び後側面１２における左側端部、上側端部及び右側端部の縁部に沿うように配置される。
【００２４】
このような構成により、財布本体１０の左側端部、上側端部及び右側端部が、第一ファスナー１３により開閉可能に形成される。こうして、図３（ａ）に示すように、第一ファスナー１３が開けられた場合には、財布本体１０の左側端部、上側端部及び右側端部（すなわち、下側端部を除く全ての端部）が開放され、当該財布本体１０が開けられた状態（第一出し入れ口３０が開けられた状態）となる。一方、図１及び図２に示すように、第一ファスナー１３が閉じられた場合には、財布本体１０の左側端部、上側端部及び右側端部（すなわち、下側端部を含んだ全ての端部）が閉鎖され、当該財布本体１０が閉じられた状態（第一出し入れ口３０が閉じられた状態）となる。
【００２５】
なお、財布本体１０は、本発明に係る「財布本体」の一実施形態である。
【００２６】
図１から図３に示す収納部２０は、金銭や携帯電話を収納するためのものである。収納部２０は、財布本体１０の内側で、主として、前記財布本体１０の前側面１１及び後側面１２と、左側マチ部２１と、右側マチ部２２と、により区画される。
【００２７】
図３に示す左側マチ部２１は、側面視で略Ｖ字状に形成された財布本体１０の前側面１１及び後側面１２における左側の開口を塞ぐものである。左側マチ部２１は、上方から下方に行くに従って徐々に幅が小さくなる（側面視で略逆三角形状の）布体により形成される。なお、左側マチ部２１は、財布本体１０が閉じられた状態である場合に、上側が内方へ向けて適宜折り曲げられた状態となる（不図示）。そして、左側マチ部２１は、財布本体１０が開けられた状態である場合に、図３に示すように、全体的に張られた状態となる。
【００２８】
図３に示す右側マチ部２２は、側面視で略Ｖ字状に形成された財布本体１０の前側面１１及び後側面１２における右側の開口を塞ぐものである。右側マチ部２２は、上方から下方に行くに従って徐々に幅が小さくなる（側面視で略逆三角形状の）布体により形成される。なお、右側マチ部２２は、財布本体１０が閉じられた状態である場合に、上側が内方へ向けて適宜折り曲げられた状態となる（不図示）。そして、右側マチ部２２は、財布本体１０が開けられた状態である場合に、図３に示すように、全体的に張られた状態となる。
【００２９】
こうして、財布本体１０の前側面１１及び後側面１２と、左側マチ部２１と、右側マチ部２２と、により囲まれた空間が、金銭や携帯電話を収納するための収納部２０となる。
【００３０】
なお、図３に示すように、財布本体１０が開けられた状態である場合に、収納部２０の上側が比較的開けられた状態（財布本体１０の前側面１１及び後側面１２の上側端部が離間した状態）となる。一方、財布本体１０が閉じられた状態である場合に、収納部２０の上側が比較的閉じられた状態（財布本体１０の前側面１１及び後側面１２の上側端部が近接した状態）となる（図５（ａ）等参照）。
【００３１】
なお、収納部２０は、前側仕切り部２３により、金銭収納部５０と、携帯収納部６０と、に区画される。
【００３２】
図３に示す前側仕切り部２３は、収納部２０の内側で、左側マチ部２１と右側マチ部２２との間を概ね左右方向に亘るように配置される。こうして、前側仕切り部２３は、収納部２０の内側を当該前側仕切り部２３よりも前方の領域と後方の領域とに区画する（仕切る）。そして、収納部２０の内側において前側仕切り部２３よりも後方の領域が、金銭収納部５０として構成される。一方、収納部２０の内側において前側仕切り部２３よりも前方の領域が、携帯収納部６０として構成される。
なお、前側仕切り部２３の構成についてのさらに詳細な説明は後述する。
【００３３】
図３に示す金銭収納部５０は、金銭を収納するためのものである。金銭収納部５０は、前述したように、収納部２０の内側において前側仕切り部２３よりも後方の領域である。なお、金銭収納部５０は、後側仕切り部２４により、第一金銭収納部５１と、第二金銭収納部５２と、に区画される。
【００３４】
図３に示す後側仕切り部２４は、金銭収納部５０の内側で、左側マチ部２１と右側マチ部２２との間を概ね左右方向に亘るように配置される。こうして、後側仕切り部２４は、金銭収納部５０の内側を当該後側仕切り部２４よりも前方の領域と後方の領域とに区画する（仕切る）。そして、金銭収納部５０の内側において後側仕切り部２４よりも後方の領域が、第一金銭収納部５１として構成される。一方、金銭収納部５０の内側において後側仕切り部２４よりも前方の領域が、第二金銭収納部５２として構成される。
【００３５】
このように、第一金銭収納部５１及び第二金銭収納部５２には、財布１００の所持者の使い方に応じて、金銭を適宜収納することができる。なお、本実施形態において、金銭とは、紙幣や硬貨の他、クレジットカードやキャッシュカード、プリペイドカード等の、紙幣や硬貨と実質的に同様の使い方となるものが含まれる。したがって、第一金銭収納部５１及び第二金銭収納部５２には、カードを保持する保持部を形成し、カードを保持する構成としてもよい。
【００３６】
図３に示す携帯収納部６０は、携帯電話を収納するためのものである。携帯収納部６０は、前述したように、収納部２０の内側において前側仕切り部２３よりも前方の領域である。
なお、携帯収納部６０の構成についての詳細な説明は後述する。
【００３７】
なお、第一金銭収納部５１や、第二金銭収納部５２、携帯収納部６０は、本発明に係る「複数の収納部」の一実施形態である。また、第一金銭収納部５１及び第二金銭収納部５２は、本発明に係る「第一収納部」の一実施形態である。また、携帯収納部６０は、本発明に係る「第二収納部」の一実施形態である。
【００３８】
図１から図３に示す第一出し入れ口３０は、第一金銭収納部５１及び第二金銭収納部５２に対して金銭を出し入れするために開閉可能なものである。なお、後述するように、第一出し入れ口３０は、携帯収納部６０に対して携帯電話を出し入れするために開閉可能なものでもある。第一出し入れ口３０は、前記財布本体１０の前側面１１及び後側面１２における上側端部と、前記第一ファスナー１３と、により構成される。
【００３９】
以下では、第一金銭収納部５１及び第二金銭収納部５２に対して金銭を出し入れするために第一出し入れ口３０を開閉させる態様について説明する。
【００４０】
例えば、図２に示すように閉じられた状態の第一出し入れ口３０を開ける場合、第一ファスナー１３を開け、財布本体１０の左側端部、上側端部及び右側端部（すなわち、下側端部を除く全ての端部）を開放させる。これによって、財布本体１０が開けられた状態となり、財布本体１０の前側面１１及び後側面１２の上側端部が離間して左側マチ部２１及び右側マチ部２２がそれぞれ全体的に張られた状態となる。そして、左側マチ部２１及び右側マチ部２２がそれぞれ全体的に張られた状態となると、第一金銭収納部５１及び第二金銭収納部５２の比較的開けられた状態（財布本体１０の前側面１１及び後側面１２の上側端部が離間した状態）がそのまま保持される。このように、第一出し入れ口３０が開けられると、図３に示すように、財布本体１０の前側面１１及び後側面１２の上側端部が離間した状態が、そのまま保持される。
【００４１】
こうして、財布１００の所持者は、第一出し入れ口３０が開けられると、当該第一出し入れ口３０を介して当該第一金銭収納部５１及び第二金銭収納部５２に手指を差し入れることができる。すなわち、財布１００の所持者は、第一出し入れ口３０を介して第一金銭収納部５１及び第二金銭収納部５２に対して金銭を出し入れすることができる。
【００４２】
なお、金銭の出し入れが終了すると、第一出し入れ口３０を閉じるために、財布本体１０の前側面１１及び後側面１２の上側端部を近接させる。そして、財布本体１０の前側面１１及び後側面１２の上側端部が近接した状態で第一ファスナー１３を閉じ、財布本体１０の左側端部、上側端部及び右側端部（すなわち、下側端部を含んだ全ての端部）を閉鎖させる。これによって、財布本体１０が閉じた状態となる。このように、第一出し入れ口３０が閉じられると、財布本体１０が閉じた状態となる。
【００４３】
こうして、第一出し入れ口３０が閉じられると、第一金銭収納部５１及び第二金銭収納部５２に収納した金銭が所持者の意図によらず第一出し入れ口３０を介して飛び出すことを防止することができる。また、第一出し入れ口３０が閉じられると、財布本体１０の前側面１１及び後側面１２の上側端部が近接した状態となるため、財布１００をコンパクトにすることができ、携帯し易くすることができる。
【００４４】
なお、第一出し入れ口３０は、本発明に係る「第一出し入れ口」の一実施形態である。
【００４５】
図１から図４に示す第二出し入れ口４０は、携帯収納部６０に対して携帯電話を出し入れするために開閉可能なものである。
なお、第二出し入れ口４０の構成についての詳細な説明は後述する。
【００４６】
なお、第二出し入れ口４０は、本発明に係る「第二出し入れ口」の一実施形態である。
【００４７】
以下では、図３を用いて、携帯収納部６０の構成について詳細に説明する。
【００４８】
図３に示す携帯収納部６０は、前述したように、収納部２０の内側において前側仕切り部２３よりも前方の領域である。すなわち、携帯収納部６０は、財布本体１０の前側面１１と前側仕切り部２３とにより区画されたものである。
【００４９】
ここで、携帯収納部６０の構成について説明するため、前述した前側仕切り部２３の構成についてさらに詳細に説明する。
【００５０】
図３に示す前側仕切り部２３は、上方から下方に行くに従って徐々に左右方向幅が小さくなる（底辺が上辺よりも短い略等脚台形状に形成された）布体により形成される。前側仕切り部２３の右側端部は、財布本体１０の前側面１１と右側マチ部２２との間に挟みこまれ、これらが縫い合わされることにより接続される。また、前側仕切り部２３の左側端部は、財布本体１０の前側面１１と左側マチ部２１との間に挟みこまれ、これらが縫い合わされることにより接続される。また、前側仕切り部２３の左上部及び右上部は、それぞれ内方へ向けて適宜に折り曲げられた状態に形成される。
【００５１】
こうして、携帯収納部６０に携帯電話を収納する場合に、携帯電話の携帯収納部６０への収納（進入）と共に前側仕切り部２３の左上部及び右上部がそれぞれ全体的に張られた状態となり、当該前側仕切り部２３の上部が後方へ向けて移動する。こうして、前側仕切り部２３の上部が後方へ向けて移動することにより、携帯収納部６０のスペースを大きく変化させ、携帯電話を携帯収納部６０に収納し易くすることができる。
【００５２】
また、図３に示すように、携帯収納部６０に携帯電話が収納されていない場合には、前側仕切り部２３の左上部及び右上部がそれぞれ内方へ向けて適宜に折り曲げられた状態に形成されるため、当該前側仕切り部２３の上部が前方へ向けて移動した状態となる。これにより、前側仕切り部２３の後方に配置される第二金銭収納部５２のスペースを大きく（すなわち、携帯電話が収納されていない携帯収納部６０のスペースを小さく）変化させ、金銭を第二金銭収納部５２に収納し易くすることができる。
【００５３】
また、前側仕切り部２３の左右中央の上側端部には、当該上側端部を下方へ向けて略半円形に切り欠いた切り欠き部２５が形成される。これにより、携帯収納部６０に収納された携帯電話を、第一出し入れ口３０を介して取り出し易くすることができる。
【００５４】
以下では、図１から図４を用いて、第二出し入れ口４０の構成について詳細に説明する。
【００５５】
図１から図４に示す第二出し入れ口４０は、携帯収納部６０に対して携帯電話を出し入れするために開閉可能なものである。本実施形態において、第二出し入れ口４０は、図２及び図３に示すように、スリット部４１と、第二ファスナー４２と、前側マチ部４３と、により構成される。
【００５６】
図３及び図４に示すスリット部４１は、財布本体１０の前側面１１を前後方向に貫通するスリット（切れ目）である。ここで、財布本体１０の前側面の後方には、前述したように携帯収納部６０が形成されている。すなわち、財布本体１０の前側面１１を前後方向に貫通するスリット部４１とは、携帯収納部６０と財布本体１０の外側とを連通させるものとなる。
【００５７】
スリット部４１は、財布本体１０の前側面１１において左下部から左上部まで上方へ向けて延出される第一スリット４４と、当該第一スリット４４と接続され、財布本体１０の前側面１１において左上部から右上部まで右方へ向けて延出される第二スリット４５と、により形成される。こうして、スリット部４１は、２つのスリットにより全体として正面視で略Ｌ字状に形成される。そして、財布本体１０の前側面１１において第一スリット４４及び第二スリット４５に囲まれた略三角形状の領域（以下では「開閉領域４６」と称する。）が、当該前側面１１に対して開閉自在に構成される。
【００５８】
図１から図４に示す第二ファスナー４２は、スリット部４１の第二スリット４５の長手方向に沿うように配置される。こうして、第二スリット４５は、第二ファスナー４２により開閉可能に形成される。
【００５９】
なお、第二ファスナー４２は、本発明に係る「切り換え手段」の一実施形態である。
【００６０】
図３及び図４に示す前側マチ部４３は、スリット部４１の第一スリット４４による開口を塞ぐものである。前側マチ部４３は、上方から下方に行くに従って徐々に幅が小さくなる（側面視で略逆三角形状の）布体により形成される。前側マチ部４３の右側端部は、第一スリット４４の右側、すなわち開閉領域４６の左側端部に縫い合わされることにより接続される。また、前側マチ部４３の左側端部は、第一スリット４４を介して財布本体１０の内側に挿入され、当該財布本体１０の前側面１１の裏側に縫い合わされることにより接続される。なお、図３（ａ）に示すように、前側マチ部４３は、第二出し入れ口４０が閉じられた状態である場合に、上側が内方へ向けて適宜折り曲げられた状態となる。そして、図４（ａ）及び（ｂ）に示すように、前側マチ部４３は、第二出し入れ口４０が開けられた状態である場合に、全体的に張られた状態となる。なお、前側マチ部４３には、後述するコード保持部４７が設けられる。
【００６１】
以下では、携帯収納部６０に対して携帯電話を出し入れさせるために第二出し入れ口４０を開ける態様について説明する。
【００６２】
例えば、図３に示すように閉じられた状態の第二出し入れ口４０を開ける場合、第二ファスナー４２を開け、第二スリット４５を開放させる。これによって、開閉領域４６が開放可能な状態とされる。そして、図４に示すように、開閉領域４６の上側端部を財布本体１０の前側面１１から外方へ向けて離間させ、前側マチ部４３が全体的に張られた状態とする。そして、前側マチ部４３が全体的に張られた状態となると、開閉領域４６の上側端部が財布本体１０の前側面１１から離間した状態がそのまま保持される。そして、第二出し入れ口４０が開けられると、図４に示すように、平面視で略三角形状の開口が概ね上下方向を臨むように出現する。
【００６３】
こうして、財布１００の所持者は、第二出し入れ口４０が開けられると、当該第二出し入れ口４０（より詳細には、前述した平面視で略三角形状の開口）を介して携帯収納部６０に対して携帯電話を出し入れすることができる。すなわち、財布１００においては、携帯電話を取り出したり収納したりするときに、金銭の出し入れを行う第一出し入れ口３０を開閉させる必要が無い。したがって、第一出し入れ口３０を開けて金銭が露出することがないため、安心して携帯電話を取り出したり収納したりすることができる。
【００６４】
なお、以上のような構成の財布１００においては、前述した第二出し入れ口４０だけでなく、第一出し入れ口３０を介して携帯収納部６０に対して携帯電話を出し入れすることができる。
【００６５】
以下では、具体的な一例として、携帯電話を第二出し入れ口４０を介して携帯収納部６０に収納し（入れ）、第一出し入れ口３０を介して携帯収納部６０から出す（財布本体１０の外側に出す）場合における、財布１００の使用態様について説明する。
【００６６】
まず、図５（ａ）及び（ｂ）を用いて、携帯電話を第二出し入れ口４０を介して携帯収納部６０に収納する（入れる）場合における財布１００の使用態様について説明する。
【００６７】
図５（ａ）に示すように、携帯電話を第二出し入れ口４０を介して携帯収納部６０に収納する（入れる）場合、第二出し入れ口４０を開けて平面視で略三角形状の開口を出現させる。そして、当該出現した平面視で略三角形状の開口に、上方から携帯電話を下方へ向けて進入させる。なお、第二出し入れ口４０の後方に携帯収納部６０が配置されているため、下方へ向けて進入した携帯電話は、当該進入と同時に携帯収納部６０に収納されることとなる。
【００６８】
そして、図５（ｂ）に示すように、第二出し入れ口４０を介して携帯収納部６０に携帯電話が収納されると、当該第二出し入れ口４０が閉じられる。
【００６９】
こうして、財布１００の所持者は、携帯収納部６０に携帯電話を収納させた状態で、当該財布１００を携帯することができる。
【００７０】
なお、本実施形態においては、第二出し入れ口４０は、第一金銭収納部５１及び第二金銭収納部５２に対して金銭を出し入れ不能であるように構成される。
以下では、かかる構成について具体的に説明する。
【００７１】
図６（ａ）は、財布本体１０の前側面１１及び前側仕切り部２３の相互の高さ位置の関係を示した模式図である。図６（ａ）に示すように、財布本体１０の前側面１１におけるスリット部４１の高さ位置Ｈ２は、前側仕切り部２３の高さ位置Ｈ１よりも同一か、又は低くなるように設定される。これにより、携帯収納部６０の後方に配置される第二金銭収納部５２は、前側仕切り部２３の存在により財布本体１０の外側と連通されないこととなる。
【００７２】
より詳細には、例えば財布本体１０の前側面１１におけるスリット部４１の高さ位置Ｈ２が前側仕切り部２３の高さ位置Ｈ１よりも高い場合には、第二出し入れ口４０を開けて平面視で略三角形状の開口を出現させると、当該開口の上方から下方を見た場合に前側仕切り部２３の上端部を介して第二金銭収納部５２が見えるおそれがある。換言すれば、第二金銭収納部５２に収納された金銭が、当該開口を介して財布本体１０の外側に飛び出すおそれがある。
【００７３】
しかしながら、本実施形態における財布本体１０の前側面１１及び前側仕切り部２３の相互の高さ位置の関係においては、前述したように前記開口の上方から下方を見た場合に前側仕切り部２３の上端部を介して第二金銭収納部５２が見ることができず、第二金銭収納部５２に収納された金銭が当該開口を介して財布本体１０の外側に飛び出すおそれがない。なお、第二金銭収納部５２だけではなく、第一金銭収納部５１についても同様である。
【００７４】
このように、本実施形態においては、第二出し入れ口４０が開けられた場合に、当該第二出し入れ口４０を介して第一金銭収納部５１及び第二金銭収納部５２に対して金銭を出し入れすることができない。すなわち、第二出し入れ口４０は、第一金銭収納部５１及び第二金銭収納部５２に対して金銭を出し入れ不能であるように構成される。
【００７５】
また、前述したように、前側マチ部４３には、コード保持部４７が設けられる。コード保持部４７は、携帯収納部６０に収納した携帯電話に、第二出し入れ口４０を介して例えばイヤホン等のコードＣが接続される場合に、図５（ａ）に示すように、当該コードＣを保持するものである。コード保持部４７は、前側マチ部４３の略中央に、当該前側マチ部４３を貫通するように形成される。図５（ａ）に示すように、携帯収納部６０に収納した携帯電話にイヤホン等のコードＣを接続する場合には、コードＣはコード保持部４７に挿通（保持）されてから当該携帯電話に接続される。
【００７６】
このような構成により、第二出し入れ口４０を閉じるために第二ファスナー４２が閉じられる場合に、コード保持部４７は（第二ファスナー４２が配置されていない）第一スリット４４の前側マチ部４３に配置されるものであるため、図５（ｂ）に示すように、当該コード保持部４７に保持されたコードＣは第二ファスナー４２と干渉しない。すなわち、第二ファスナー４２は、コード保持部４７に保持されたコードＣに干渉することなく第二出し入れ口４０の開閉を切り換え可能に構成される。こうして、財布１００の所持者は、携帯電話を携帯収納部６０に収納した状態で、当該携帯電話にコードＣ（イヤホン等）を接続して使用することができる。
【００７７】
なお、コードＣは、本発明に係る「コード」の一実施形態である。本発明に係る「コード」は、前述したようにイヤホンのものに限定するものではなく、例えばマイクや携帯電話の操作具等のものであってもよい。
【００７８】
次に、図５（ｃ）及び（ｄ）を用いて、携帯電話を第一出し入れ口３０を介して携帯収納部６０から出す（財布本体１０の外側に出す）場合における財布１００の使用態様について説明する。
【００７９】
ここで、以下の説明においては、図５（ｃ）に示すように、財布１００の所持者は、第一出し入れ口３０を開けて、当該第一出し入れ口３０を介して第一金銭収納部５１及び第二金銭収納部５２から金銭を出している状態であるものとする。
【００８０】
そして、かかる状態において携帯電話の着信があると、財布１００の所持者は、第一出し入れ口３０を介して上方から携帯収納部６０に手指を差し入れ、当該携帯収納部６０に収納されている携帯電話を掴むことができる。すなわち、図５（ｄ）に示すように、財布１００の所持者は、第二出し入れ口４０を開けることなく、第一出し入れ口３０を介して携帯電話を財布本体１０から取り出し、着信に応答することができる。
【００８１】
このように、第一出し入れ口３０を開けて、当該第一出し入れ口３０を介して第一金銭収納部５１及び第二金銭収納部５２から金銭を出している状態である場合に、第二出し入れ口４０を開けることなく、第一出し入れ口３０を介して携帯電話を財布本体１０から取り出すことができるため、例えば第二出し入れ口４０を開けた弾みで第一出し入れ口３０を介して第一金銭収納部５１及び第二金銭収納部５２から金銭が飛び出すような不都合を防止することができる。また、第一出し入れ口３０を介して第一金銭収納部５１及び第二金銭収納部５２から金銭が飛び出すことを防止するために第一出し入れ口３０を閉じてから第二出し入れ口４０を開ける必要ないため、第一出し入れ口３０を介して素早く携帯電話を取り出すことができ、ひいては着信が終了して応答することができないような不都合を防止することができる。
【００８２】
以上のように、本発明の実施の第一実施形態に係る財布１００は、
内側に複数の収納部を有する財布本体１０と、
前記複数の収納部に含まれ、金銭を収納するための第一収納部（第一金銭収納部５１及び第二金銭収納部５２）と、
前記財布本体１０に設けられ、前記第一収納部（第一金銭収納部５１及び第二金銭収納部５２）に対して金銭を出し入れするために開閉可能な第一出し入れ口３０と、
前記複数の収納部に含まれ、携帯電話を収納するための第二収納部（携帯収納部６０）と、
前記財布本体１０に設けられ、前記第二収納部（携帯収納部６０）に対して携帯電話を出し入れするために開閉可能な第二出し入れ口４０と、
を具備し、
前記第一出し入れ口３０は、前記第二収納部（携帯収納部６０）に対して携帯電話を出し入れするために開閉可能であるものである。
【００８３】
このような構成により、携帯電話を収納するための第二収納部（携帯収納部６０）を具備し、例えば第一出し入れ口３０を開けて金銭を出し入れしているときに携帯電話の着信があった場合であっても、携帯電話を取り出そうとする弾みで金銭が飛び出さず、且つ着信が終了して応答できないことを防止することができる。
【００８４】
また、財布１００において、
前記第二出し入れ口４０は、前記第一収納部（第一金銭収納部５１及び第二金銭収納部５２）に対して金銭を出し入れ不能であるものである。
【００８５】
このような構成により、携帯電話を第二出し入れ口４０から第二収納部（携帯収納部６０）に対して出し入れするときに、第一収納部（第一金銭収納部５１及び第二金銭収納部５２）に収納された金銭が当該第二出し入れ口４０から飛び出すことを防止することができる。
【００８６】
また、財布１００において、
前記第二出し入れ口４０には、前記第二出し入れ口４０の開閉を切り換える切り換え手段（第二ファスナー４２）と、前記第二収納部（携帯収納部６０）に収納した携帯電話に前記第二出し入れ口４０を介してコードＣが接続される場合に前記コードＣを保持するコード保持部４７と、が設けられ、
切り換え手段（第二ファスナー４２）は、前記コード保持部４７に保持されたコードＣに干渉することなく前記第二出し入れ口４０の開閉を切り換え可能であるものである。
【００８７】
このような構成により、携帯電話を第二収納部（携帯収納部６０）に収納した状態で、当該携帯電話にコードＣを接続して使用することができる。
【００８８】
以下では、図６（ｂ）を用いて、本発明の実施の別実施形態に係る財布２００の構成について説明する。
なお、以下では、第一実施形態に係る財布１００と構成が異なる点について説明するものとし、前記財布１００と構成が同様である点については適宜説明を省略するものとする。
【００８９】
財布２００において、財布１００と構成が異なる点は、財布本体１０の前側面１１の一部（又は全部）が透過性を有する部材（以下では「透過性部材２１１」と称する。）により形成されている点である。こうして、財布２００においては、携帯収納部６０を、前側面１１を介して財布本体１０の外側から視認することができる。
【００９０】
このような構成により、例えば携帯収納部６０に収納された携帯電話がいわゆるスマートフォンである場合には、当該スマートフォンが携帯収納部６０に収納された状態のまま、財布本体１０の外側から当該スマートフォンのタッチパネルに表示される各種の情報を取得することができる。また、透過性部材２１１を当該透過性部材２１１を介してタッチパネルを操作可能な材料により形成することにより、携帯収納部６０に収納された状態のまま財布本体１０の外側から当該タッチパネル（ひいては、スパートフォン）を操作することができる。
【符号の説明】
【００９１】
１０      財布本体
２０      収納部
３０      第一出し入れ口
４０      第二出し入れ口
５０      金銭収納部
６０      携帯収納部
【要約】
【課題】携帯電話を収納するための収納部を具備し、例えば出し入れ口を開けて金銭を出し入れしているときに携帯電話の着信があった場合であっても、携帯電話を取り出そうとする弾みで金銭が飛び出さず、且つ着信が終了して応答できないことを防止することができる財布を提供する。
【解決手段】内側に複数の収納部を有する財布本体１０と、金銭を収納するための第一金銭収納部５１及び第二金銭収納部５２と、第一金銭収納部５１及び第二金銭収納部５２に対して金銭を出し入れするために開閉可能な第一出し入れ口３０と、携帯電話を収納するための携帯収納部６０と、携帯収納部６０に対して携帯電話を出し入れするために開閉可能な第二出し入れ口４０と、を具備し、第一出し入れ口３０は、携帯収納部６０に対して携帯電話を出し入れするために開閉可能である。
【選択図】図５【図１】
0005431613.tif 000002
【図２】
0005431613.tif 000003
【図３】
0005431613.tif 000004
【図４】
0005431613.tif 000005
【図５】
0005431613.tif 000006
【図６】
0005431613.tif 000007